(57)【要約】【課題】静電気がフロントキャビネットからスピーカーのコーン部分へ気中放電するのを防止し、オーディオアンプＩＣの破壊をなくした液晶テレビを提供する。【解決手段】フロントキャビネット１ａとリアキャビネット１ｂの内部に、液晶モジュール２、スピーカー４、配線基板３などを内蔵した液晶テレビにおいて、フロントキャビネット１ａとスピーカー４との間にグランド電位の金属片５を介在させた構成とする。フロントキャビネット１ａに滞留した静電気をスピーカー４の手前に位置するグランド電位の金属片５に気中放電させて、スピーカー４のコーン部分への気中放電を防止し、気中放電によるオーディオアンプＩＣの破壊をなくす。【選択図】図１
2009284145.tif 000002
【特許請求の範囲】
【請求項１】
フロントキャビネットとリアキャビネットの内部に、液晶モジュール、スピーカー、配線基板などを内蔵した液晶テレビにおいて、フロントキャビネットとスピーカーとの間にグランド電位の金属片を介在させたことを特徴とする液晶テレビ。
【請求項２】
上記金属片が上記液晶モジュールの金属フレームに取付けられたものであることを特徴とする請求項１に記載の液晶テレビ。
【請求項３】
上記金属片が上記液晶モジュールの金属フレームを加工して一体に形成されたものであることを特徴とする請求項１に記載の液晶テレビ。
【請求項４】
上記金属片がくし形状を有することを特徴とする請求項１ないし請求項３のいずれかに記載の液晶テレビ。
【発明の詳細な説明】
【技術分野】
【０００１】
本発明は液晶テレビに関し、特に、静電気がフロントキャビネットからスピーカーのコーン部分に気中放電しないように改良した液晶テレビに関する。
【背景技術】
【０００２】
周知のように、液晶テレビのフロントキャビネットとリアキャビネットの内部には、液晶モジュール、スピーカー、配線基板などが内蔵されている。このような液晶テレビでは、静電気がフロントキャビネットからスピーカーのコーン部分に気中放電した際に、配線基板に搭載されたオーディオアンプＩＣの破壊を防止するためのツェナーダイオードがオーディオアンプＩＣの信号出力ラインに設けられている。
【０００３】
一方、従来より電子機器におけるＥＳＤ対策として種々の提案がされている。例えば、薄型表示装置などの電子機器の筐体に配設された放熱孔を経由し静電気帯電した人体やその他の物品から電子機器内部の配線部材に放電し、配線部材に接続された半導体部品の絶縁破壊不良が発生することを防止するために、ＦＰＣやＦＦＣなどの配線部材が近接する筐体内面の放熱孔の近傍に、該筐体内面の法線方向に突起する薄板状の隔壁を形成し、放熱孔と配線部材の空間距離を維持するようにした電子機器筐体が提案されている（特許文献１）
また、筐体に形成されたボタン孔、通風口及び筐体の合わせ目の隙間等の開口部から筐体内に侵入した静電気によって、筐体内の回路基板及び回路部品等が破壊されることを防止するために、筐体に形成された開口部に対向するように、回路基板に接地回路パターンの露出部分を形成し、この露出部分に半田を設けて、開口部から半田までの距離を開口部からスイッチ部品の端子部までの距離より短くし、開口部から侵入した静電気を半田から接地回路パターンへ導くようにした電気機器も提案されている（特許文献２）。
【０００４】
そして、金属製のキャビネットを、静電気による衝撃の抑制や高電圧の発生を抑制しつつ有効に接地するために、ＣＲＴの前面の金属製のフロントキャビネットとグランド部との間に特定の放電経路を設けてフロントキャビネットの接地をとるようにした電気機器も提案されている（特許文献３）。
【０００５】
更に、グリルネットでの静電気の滞留を防止し、埃の付着による商品価値の低下、電子部品の静電破壊、製品の誤動作等をなくすために、表面にグリルネットが展張されたスピーカグリルにおいて、グリルネットの裏面に接するように導電性の板を配置し、該板を電気コード等を介して家庭のコンセントのアース端子等へ接続したスピーカグリルも提案されている（特許文献４）。
【特許文献１】特開２００７−７３７９０号公報
【特許文献２】特開２００６−３０２５４４号公報
【特許文献３】特開２００１−１５７１４２号公報
【特許文献４】特開２００３−９２６９号公報
【発明の開示】
【発明が解決しようとする課題】
【０００６】
前述した従来の液晶テレビは、フロントキャビネットから静電気がスピーカーのコーン部分に気中放電しても、ツェナーダイオードによってグランドへ放電されるため、オーディオアンプＩＣが破壊されることはないが、オーディオアンプＩＣの信号出力ラインにツェナーダイオードを設ける分だけコストが高くなるので、得策とは言い難い。
【０００７】
一方、前記特許文献１のＥＳＤ対策のように、隔壁で放熱孔と配線部材の空間距離を維持するものは、気中放電の防止効果が不確実であり、また、前記特許文献２のＥＳＤ対策のように、開口部から半田までの距離を開口部からスイッチ部品の端子部までの距離よりも短くして、開口部から侵入した静電気を半田から接地回路パターンへ導くものは、回路設計に制約を受けるので、いずれも得策とは言い難く、しかも、これらのＥＳＤ対策は液晶テレビのフロントキャビネットからスピーカーへの気中放電を防止する手段として具体的に適用できるものではない。
【０００８】
また、前記特許文献３のＥＳＤ対策は、抵抗、放電管、高圧コンデンサ等を組み込んだ特定の放電経路を設けるものであるからコスト高となり、更に、前記特許文献４のＥＳＤ対策のように、グリルネットに導電性の板を接触させて静電気を滞留させないようにするものは、液晶テレビのフロントキャビネットからスピーカーへの気中放電を防止する手段として不適当である。
【０００９】
本発明は上記の事情の下になされたものであって、その解決しようとする課題は、静電気がフロントキャビネットからスピーカーのコーン部分へ気中放電するのを防止してオーディオアンプＩＣの破壊をなくし、該ＩＣを保護するツェナーダイオードを省略してコストダウンを可能とした液晶テレビを提供することにある。
【課題を解決するための手段】
【００１０】
上記の課題を達成するため、本発明に係る液晶テレビは、フロントキャビネットとリアキャビネットの内部に、液晶モジュール、スピーカー、配線基板などを内蔵した液晶テレビにおいて、フロントキャビネットとスピーカーとの間にグランド電位の金属片を介在させたことを特徴とするものである。
【００１１】
上記の金属片は、液晶モジュールの金属フレームに取付けられたものでもよいし、液晶モジュールの金属フレームを加工して一体に形成された突片であってもよい。また、上記金属片は、くし形状を有するものであることが好ましい。
【発明の効果】
【００１２】
本発明の液晶テレビのように、フロントキャビネットとスピーカーとの間にグランド電位の金属片が介在されていると、フロントキャビネットに滞留した静電気がスピーカーの手前に位置するグランド電位の金属片に気中放電し、スピーカーのコーン部分には気中放電しないので、気中放電によってオーディオアンプＩＣが破壊される心配が解消される。従って、オーディオアンプＩＣを保護するツェナーダイオードをオーディオアンプＩＣの出力信号ラインに設けることが不要となり、ツェナーダイオードを省略できるので、その分だけコストダウンが可能となる。
【００１３】
上記の金属片はグランド電位でなければならないので、スピーカーに隣接する液晶モジュールのグランド電位の金属フレームに金属片を取付けるのが好都合である。けれども、金属片を金属フレームに後から取付ける場合は、部品数が増え、金属片の取付工程を増設する必要があるので、経済的に不利である。これに対し、金属片が液晶モジュールの金属フレームを加工して一体に形成されたものであると、部品数が増えたり金属片の取付工程を増設する必要がなく、板金から金属フレームを製作する際に切り起こし等の簡単な加工を付加するだけで金属片を形成できるので、経済的に有利である。
【００１４】
また、上記の金属片がくし形状を有するものであると、その尖ったくし歯部分に気中放電が行われやすくなり、また、金属片による音の妨害も実質的に生じない。
【発明を実施するための最良の形態】
【００１５】
以下、図面を参照して本発明の具体的な実施形態を詳述する。
【００１６】
図１は本発明の一実施形態に係る液晶テレビの概略断面図、図２は同液晶テレビの本体部分の断面図、図３は同液晶テレビの液晶モジュールの正面図、図４は同液晶モジュールの金属フレームとベゼルの分解部分斜視図である。
【００１７】
この液晶テレビは、図１，図２に示すように、合成樹脂製のフロントキャビネット１ａとリアキャビネット１ｂの内部に液晶モジュール２が内蔵されており、この液晶モジュール２の液晶パネル２ａがフロントキャビネット１ａの前面開口部に露出している。
【００１８】
液晶モジュール２の金属フレーム２ｂ（リアフレーム）には、複数の凸部２ｃが絞り加工によって形成されており、メイン配線基板３がこれらの凸部２ｃに支持されて金属フレーム２ｂの背面側に取付けられている。このメイン配線基板３には、チューナー（不図示）や、オーディオアンプＩＣその他の種々の電子部品（不図示）が搭載されている。
【００１９】
また、図１〜図３に示すように、液晶モジュール２の下側には左右一対のスピーカー４が設けられ、それぞれのスピーカー４のワイヤ４ａがメイン配線基板３のコネクタに接続されている。そして、これらのスピーカー４とフロントキャビネット１ａとの間には、グランド電位の金属片５が介在されている。この金属片５については後で詳しく説明する。
【００２０】
液晶モジュール２は、図２に示すように、液晶パネル２ａ、金属フレーム２ｂ（リアフレーム）、光反射シート２ｄ、冷陰極管２ｅ、ランプフレーム２ｆ、光学シート２ｇ，２ｈ、セルガイド２ｉ、ベゼル２ｊなどの主要部材で構成されている。もう少し詳しく説明すると、リアの金属フレーム２ｂは板金を浅い箱形に加工したもので、上下の側板２ｋはコ字状に折り曲げられて二重側板とされている。そして、この金属フレーム２ｂの内側には、台形状に折り曲げられた光反射シート２ｄが重ねられ、その前面側には、Ｕ字形に曲げ加工された複数の冷陰極管２ｅが配設されて、ランプホルダー（不図示）で固定されている。
【００２１】
金属フレーム２ｂの左右の側壁部には、反射板を兼ねたランプフレーム２ｆが取付けられており、このランプフレームによって、Ｕ字形冷陰極管２ｅのランプソケットが取付けられた端部と、反対側のＵ字状屈曲部が被覆されている。
【００２２】
金属フレーム２ｂの上下の二重側板２ｋと左右のランプフレーム２ｆには、２枚の光学シート２ｇ，２ｈの四周縁が載置され、合成樹脂製のセルガイド２ｉで押さえられている。これらの光学シート２ｇ，２ｈは、Ｕ字形冷陰極管２ｄからの直射光と光反射シート２ｄで反射された反射光を拡散して液晶パネル２ａに均一に照射する光拡散シートであって、手前の光学シート２ｈは薄い光反射シートであるが、後側の光学シート２ｇは撓みにくい厚手のパネル状の光拡散シート（光拡散板）が使用されている。そして、セルガイド２ｉには液晶パネル２ａ（液晶セル）の四周縁が載置され、Ｌ字形の断面形状を有する板金製のベゼル２ｊで押さえられて、液晶モジュール２が組立てられている。
【００２３】
図３に示すように、液晶モジュール２の下側には、くし形状を有する左右一対の金属片５，５が突き出しており、これらの金属片５，５は、左右一対のスピーカー４，４のコーン部分の直前に位置している。この金属片５は、図４に示すように、金属フレーム２ｂの下側の二重側板２ｋの外側板２ｍをくし形状に切り起こして形成されたものであって、ベゼル２ｊに形成された切欠部２ｎを通じて下方へ突き出している。液晶モジュール２の金属フレーム２ｂはグランド電位となっているので、上記のように切り起こして形成されたくし形状の金属片５もグランド電位となっている。
【００２４】
金属片５の形状は、この実施形態のようなくし形状に限定されるものではなく方形、三角形、格子形など、種々の形状となし得るが、この実施形態のようなくし形状であると、その尖ったくし歯部分に気中放電が行われやすくなるという利点があり、また、金属片５による音の妨害も実質的に生じないので好ましい。
【００２５】
この実施形態では、金属フレーム２の二重側板２ｋの外側板２ｍをくし形状に切り起こして金属片５を形成しているが、例えば、スピーカー４がもう少し前寄りに位置するような場合には、板金製のベゼル２ｊを切り起こして金属片５をもう少し前寄りの位置に形成するのがよい。このようにしても、ベゼル２ｊは金属フレーム２にビス止めされてグランド電位となっているので、金属片５はグランド電位となる。
【００２６】
また、金属片５を別に製作し、これを液晶モジュール２の金属フレーム２ｂやベゼル２ｊにビス等で取付けて、グランド電位の該金属片５をスピーカー４とフロントキャビネット１ａとの間に介在させてよい。けれども、この場合は、部品数が増え、金属片の取付工程を増設する必要があるので、経済的に不利である。これに対し、本実施形態のように金属フレーム２ｂを加工して金属片５を一体に形成する場合は、部品数が増えたり金属片の取付工程を増設する必要がなく、板金から金属フレームを製作する際に切り起こし等の簡単な加工を付加するだけで金属片を形成できるので、経済的に有利である。
【００２７】
上記のように、グランド電位の金属片５がスピーカー４とフロントキャビネット１ａの間に介在されて、スピーカー４のコーン部分の直前に位置していると、フロントキャビネット１ａに滞留した静電気がグランド電位の金属片５に気中放電し、スピーカー４のコーン部分には気中放電しなくなるので、気中放電によるオーディオアンプＩＣの破壊を十分に防止することができる。従って、オーディオアンプＩＣを保護するツェナーダイオードをオーディオアンプＩＣの出力信号ラインに設けることが不要となり、ツェナーダイオードを省略できるので、その分だけコストダウンが可能となる。
【図面の簡単な説明】
【００２８】
【図１】本発明の一実施形態に係る液晶テレビの概略断面図である。
【図２】同液晶テレビの本体部分の断面図である。
【図３】同液晶テレビの液晶モジュールの正面図である。
【図４】同液晶モジュールの金属フレームとベゼルの分解部分斜視図である。
【符号の説明】
【００２９】
１ａ  フロントキャビネット
１ｂ  リアキャビネット
２    液晶モジュール
２ａ  液晶パネル
２ｂ  金属フレーム（リアフレーム）
３    配線基板
４    スピーカー
５    グランド電位の金属片
【図１】
2009284145.tif 000003
【図２】
2009284145.tif 000004
【図３】
2009284145.tif 000005
【図４】
2009284145.tif 000006